(57)【要約】【課題】運搬作業が容易になり、且つ収納のためのスペースをあまり要しない。【解決手段】支持枠と、第一支え足および第二支え足と、座当と、を含む腰部鍛錬用椅子において、前記支持枠は、底面の四つのコーナーで下に向いている枢着用ラグ組が設けてあり、前記枢着用ラグ組に貫通孔が開設してあり、前記第一支え足および第二支え足は、前記支持枠の下面に設けられ、それぞれ二つのサイドロッドを有し、前記二つのサイドロッドの下端に近接する箇所では前記二つのサイドロッドを連接する横方向ロッドが設けてあり、且つ前記第一支え足と第二支え足との二つのサイドロッドの中段は互いに枢着され、前記座当は、ユーザの腰部がその上で自由に捩り可能であり、前記支持枠の上面に設けられることを特徴とする腰部鍛錬用椅子。【選択図】図１
0003136635.tif 000002
【実用新案登録請求の範囲】
【請求項１】
支持枠と、第一支え足および第二支え足と、座当と、を含む腰部鍛錬用椅子において、
前記支持枠は、底面の四つのコーナーで下に向いている枢着用ラグ組が設けてあり、前記枢着用ラグ組に貫通孔が開設してあり、
前記第一支え足および第二支え足は、前記支持枠の下面に設けられ、それぞれ二つのサイドロッドを有し、前記二つのサイドロッドの下端に近接する箇所では前記二つのサイドロッドを連接する横方向ロッドが設けてあり、且つ前記第一支え足と第二支え足との二つのサイドロッドの中段は互いに枢着され、また、前記第一支え足の二つのサイドロッドの上端は、前記支持枠の一側の下面に設けられた二つの枢着用ラグ組にそれぞれ枢着され、なお、前記第二支え足の二つのサイドロッドの上端は、前記支持枠の他側の下面に設けられた二つの枢着用ラグ組にそれぞれ枢着され、前記第二支え足の二つのサイドロッドは、挿入ロッドにて前記枢着用ラグ組に枢転可能に連接され、
前記座当は、ユーザの腰部がその上で自由に捩り可能であり、前記支持枠の上面に設けられることを特徴とする、
腰部鍛錬用椅子。
【請求項２】
前記支持枠は互いに平行している二つの矩形断面チューブを含み、前記二つの矩形断面チューブが複数の管体にて連接されて矩形の枠体を構成し、前記支持枠の二つの矩形断面チューブの端部に近接する箇所では一組の貫通孔がそれぞれ開設してあることを特徴とする、請求項１に記載の腰部鍛錬用椅子。
【請求項３】
更に、二つの手すりを含み、前記二つの手すりは、それぞれ半円の円弧形状を呈し、且つ両端の端部に近接する箇所では複数組の貫通孔が開設してあり、その両端がそれぞれ前記矩形断面チューブに貫入され、前記矩形断面チューブに設けられた貫通孔と、前記手すりに開設された複数組の貫通孔のうちの何れか一組の貫通孔とにピンを挿入すると、前記手すりが前記矩形断面チューブに位置決めされるようになることを特徴とする、請求項２に記載の腰部鍛錬用椅子。
【考案の詳細な説明】
【技術分野】
【０００１】
本考案は、折畳み可能な腰部鍛錬用椅子に係り、特に、腰部を鍛錬可能であり、そして折畳んで収納可能であるので、収納スペースを節約可能である腰部鍛錬用椅子に関するものである。
【背景技術】
【０００２】
従来の腰部鍛錬用椅子は、主に、椅子の座当板に台座が組付けてあり、前記台座に溝が設けてあり、前記溝の内部に穴が複数に設けてあり、玉が前記穴で転がり可能であり、座当は、前記台座の溝に設けられ、その直径が前記台座の溝よりも小さく、且つ前記座当の底部が前記玉に支持されて旋回可能である。
【０００３】
また、前記台座の適当な箇所では脱着自在なマジックテープ（登録商標）が設けてあり、前記マジックテープ（登録商標）により台座が座当板に脱着自在に固定される。
【０００４】
上記のような構成によれば、ユーザは腰部を鍛錬することができ、座当がユーザの腰部と一緒に捻るようになり、使用しているときに、ユーザは、快適な感じをし、腰部が全く痛くない。
【考案の開示】
【考案が解決しようとする課題】
【０００５】
しかしながら、従来の腰部鍛錬用椅子は、折畳んで移動することができないので、運搬作業が面倒になり、且つ収納のためのスペースをかなり要する欠点があった。
【課題を解決するための手段】
【０００６】
上記目的を達成するためになされた本願の考案は、支持枠と、第一支え足および第二支え足と、座当と、を含む腰部鍛錬用椅子において、
前記支持枠は、底面の四つのコーナーで下に向いている枢着用ラグ組が設けてあり、前記枢着用ラグ組に貫通孔が開設してあり、
前記第一支え足および第二支え足は、前記支持枠の下面に設けられ、それぞれ二つのサイドロッドを有し、前記二つのサイドロッドの下端に近接する箇所では前記二つのサイドロッドを連接する横方向ロッドが設けてあり、且つ前記第一支え足と第二支え足との二つのサイドロッドの中段は互いに枢着され、また、前記第一支え足の二つのサイドロッドの上端は、前記支持枠の一側の下面に設けられた二つの枢着用ラグ組にそれぞれ枢着され、なお、前記第二支え足の二つのサイドロッドの上端は、前記支持枠の他側の下面に設けられた二つの枢着用ラグ組にそれぞれ枢着され、前記第二支え足の二つのサイドロッドは、挿入ロッドにて前記枢着用ラグ組に枢転可能に連接され、
前記座当は、ユーザの腰部がその上で自由に捩り可能であり、前記支持枠の上面に設けられることを特徴とする腰部鍛錬用椅子であることを要旨としている。
【０００７】
本願の考案では、前記支持枠は互いに平行している二つの矩形断面チューブを含み、前記二つの矩形断面チューブが複数の管体にて連接されて矩形の枠体を構成し、前記支持枠の二つの矩形断面チューブの端部に近接する箇所では一組の貫通孔がそれぞれ開設してあることを特徴とする請求項１に記載の腰部鍛錬用椅子であることを要旨としている。
【０００８】
本願の考案では、更に、二つの手すりを含み、前記二つの手すりは、それぞれ半円の円弧形状を呈し、且つ両端の端部に近接する箇所では複数組の貫通孔が開設してあり、その両端がそれぞれ前記矩形断面チューブに貫入され、前記矩形断面チューブに設けられた貫通孔と、前記手すりに開設された複数組の貫通孔のうちの何れか一組の貫通孔とにピンを挿入すると、前記手すりが前記矩形断面チューブに位置決めされるようになることを特徴とする請求項２に記載の腰部鍛錬用椅子であることを要旨としている。
【考案の効果】
【０００９】
本考案の腰部鍛錬用椅子によれば、次のような効果がある。
（イ）第一支え足３０と第二支え足３１とを水平状態に折畳み可能であり、且つ手すり２０を分離可能であるので、運搬作業が容易になる。
【００１０】
（ロ）面第一支え足３０と第二支え足３１とを水平状態に折畳み可能であり、且つ手すり２０を分離可能であるので、収納のためのスペースをあまり要しない。
【考案を実施するための最良の形態】
【００１１】
以下、添付図面を参照して本考案の好適な実施の形態を詳細に説明する。
【００１２】
まず、図１乃至図６を参照する。本考案の腰部鍛錬用椅子は、支持枠１０と、手すり２０と、第一支え足３０と、第二支え足３１と、座当４０と、を含む。
【００１３】
前記支持枠１０は、互いに平行している二つの矩形断面チューブ１１を含み、前記二つの矩形断面チューブ１１が複数の管体にて連接されて矩形の枠体を構成し、その上面に捩り可能な座当４０が設けてあり、図２に示すように、底面の四つのコーナーで下に向いている枢着用ラグ組１２が設けてあり、前記支持枠１０の二つの矩形断面チューブ１１の端部に近接する箇所では一組の貫通孔１０１がそれぞれ開設してある。
【００１４】
前記二つの手すり２０は、それぞれ半円の円弧形状を呈し、且つ両端の端部に近接する箇所では複数組の貫通孔２１が開設してあり、その両端がそれぞれ前記矩形断面チューブ１１に貫入され、前記矩形断面チューブ１１に設けられた貫通孔１０１と、前記手すり２０に開設された複数組の貫通孔２１のうちの何れか一組の貫通孔２１とにピン２２を挿入すると、前記手すり２０が前記矩形断面チューブ１１に位置決めされるようになり、図４に示すように、前記ピン２２の一側には付勢されている玉２２１が設けてあり、前記玉２２１の一端が前記ピン２２の表面から突出する。
【００１５】
前記第一支え足３０および第二支え足３１は、図２に示すように、前記支持枠１０の下面に設けられ、それぞれ二つのサイドロッドを有し、前記二つのサイドロッドの下端に近接する箇所では前記二つのサイドロッドを連接する横方向ロッドが設けてあり、且つ前記第一支え足３０と第二支え足３１との二つのサイドロッドの中段は互いに枢着され、また、前記第一支え足３０の二つのサイドロッドの上端は、前記支持枠１０の一側の下面に設けられた二つの枢着用ラグ組１２にそれぞれ枢着され、なお、前記第二支え足３１の二つのサイドロッドの上端は、前記支持枠１０の他側の下面に設けられた二つの枢着用ラグ組１２にそれぞれ枢着され、前記第二支え足３１の二つのサイドロッドは、挿入ロッド３２にて前記枢着用ラグ組１２に枢転可能に連接される。
【００１６】
前記座当４０は、図５と図６に示すように、車台と、連接台と、パッドとを含み、前記連接台は、前記車台の周面の両側に円弧形状の溝４１が設けてあり、前記車台の上で回転自在であり、前記パッドが前記連接台の上で固定され、且つ前記連接台と前記車台との間には第一弾性子４２と第二弾性子４３とが設けてあり、前記第一弾性子４２と第二弾性子４３とは、一端が前記連接台に固定され、他端が前記車台に設けられた溝４１に枢着され、これにより、ユーザが前記パッドに着座して腰部を捩っているときに、第一弾性子４２と第二弾性子４３とによって腰部の左右方向への捩りの抵抗が向上する。
【００１７】
また、腰部鍛錬用椅子を収納しようとするときには、まず、図２に示すように、挿入ロッド３２を枢着用ラグ組１２から引き出すことにより、第一支え足３０と第二支え足３１とが互いに枢転可能になり、このとき、図３に示すように、水平状態になるまでに第二支え足３１を更に下に旋回して、第一支え足３０を上に旋回すると、図４に示すように、第一支え足３０と第二支え足３１とが水平状態になり、次に、ピン２２を貫通孔１０１と貫通孔２１とから引き出すと、手すり２０を分離可能である。
【００１８】
また、図５と図６を参照しながら本考案の使用状態を詳細に説明する。ユーザの両手が手すり２０を握って座当４０に着座すると、図５に示すように、ユーザの腰部が左方向に捩っているときに、第二弾性子４３によって抵抗が徐々に増加し、また、図６に示すように、ユーザの腰部が右方向に捩っているときに、第一弾性子４２によって抵抗が徐々に増加し、これにより、ユーザは腰部を鍛錬することができる。
【図面の簡単な説明】
【００１９】
【図１】本考案の組合状態の外観斜視図である。
【図２】本考案の分解斜視図である。
【図３】本考案の腰部鍛錬用椅子を折畳んだ状態の概略図である。
【図４】本考案の手すりを折畳んだ状態の概略図である。
【図５】本考案の使用状態を示す概略図である。
【図６】本考案の別の使用状態を示す概略図である。
【符号の説明】
【００２０】
１０      支持枠           
１１      矩形断面チューブ
１２      枢着用ラグ組     
２０      手すり
２１      貫通孔           
２２      ピン
３０      第一支え足      
３１      第二支え足
３２      挿入ロッド      
４０      座当
４１      円弧形状溝      
４２      弾性子
４３      弾性子           
１０１    貫通孔
２２１    玉
【図１】
0003136635.tif 000003
【図２】
0003136635.tif 000004
【図３】
0003136635.tif 000005
【図４】
0003136635.tif 000006
【図５】
0003136635.tif 000007
【図６】
0003136635.tif 000008